(57)【要約】【課題】  開始された画像形成処理を一時停止させたときに余白ができることを防止し、記録媒体に対する画像形成処理を再開する際に記録媒体を安定して位置決めした状態で搬送を開始させて適切に画像形成可能とする。【解決手段】  開始された画像形成処理を一時停止させたときに余白ができることを防止するためにピン孔を穿孔していない連続した記録媒体１２を搬送路上でバックフィードする際、この記録媒体１２の表面に転接する斜行ローラ２８の向く角度を方向転換手段で方向転換して記録媒体１２のバックフィード時の挙動を安定化させる。このようにすることにより、記録媒体１２に画像形成処理を再開する際に、記録媒体１２が安定して位置決めされる状態で搬送を開始させられるので、適切に画像形成できる。【選択図】図４
2006248732.tif 000002
【特許請求の範囲】
【請求項１】
長尺帯状のシート状記録媒体を搬送して画像形成部を通過させる際に画像を形成する、画像形成装置において、
前記画像形成部より搬送方向上流側に配置され、前記シート状記録媒体の一方の端辺を摺接させることにより前記画像形成部に対する位置決めをさせるためのエッジガイドと、
前記エッジガイドに前記シート状記録媒体の一方の端辺が摺接する状態を維持するよう、画像を形成するために搬送されている前記シート状記録媒体の表面上に搬送方向に対して所定の斜め状態に転接するよう装着された斜行ローラと、
前記シート状記録媒体を画像形成のための搬送方向と逆方向に搬送させるため、前記斜行ローラより搬送方向上流側に配置されたバックフィードローラと、
前記シート状記録媒体を画像形成のための搬送方向と逆方向に搬送させる場合は、搬送方向と逆方向に搬送される前記シート状記録媒体の表面上を前記斜行ローラが転動した際に搬送される前記シート状記録媒体の挙動を安定化できるように、前記斜行ローラの向きを回動し、前記シート状記録媒体を画像形成のための搬送方向に搬送させる場合は前記斜行ローラを前記所定の斜め状態に復帰させる方向転換手段と、
を有することを特徴とする画像形成装置。
【請求項２】
前記方向転換手段が、逆方向に搬送させる場合に前記斜行ローラの向く角度を、画像形成時の搬送方向を０度（画像形成時の方向を正とする）としたとき、０±５度となるよう回動することを特徴とする請求項１に記載の画像形成装置。
【請求項３】
前記方向転換手段が、前記シート状記録媒体の搬送方向を変える前に、前記斜行ローラの回動操作を行うことを特徴とする請求項１又は請求項２に記載の画像形成装置。
【請求項４】
長尺帯状のシート状記録媒体を搬送して画像形成部を通過させる際に画像を形成する、画像形成装置において、
前記画像形成部より搬送方向上流側に配置され、前記シート状記録媒体の一方の端辺を摺接させることにより前記画像形成部に対する位置決めをさせるためのエッジガイドと、
前記エッジガイドに前記シート状記録媒体の一方の端辺が摺接する状態を維持するよう、画像を形成するために搬送されている前記シート状記録媒体の表面上に搬送方向に対して所定の斜め状態に転接するよう装着された斜行ローラと、
前記シート状記録媒体を画像形成のための搬送方向と逆方向に搬送させるため、前記斜行ローラより搬送方向上流側に配置されたバックフィードローラと、
前記シート状記録媒体を画像形成のための搬送方向と逆方向に搬送させる場合に、前記斜行ローラを前記シート状記録媒体上から浮き上がらせて解離し、前記シート状記録媒体を画像形成のための搬送方向に搬送させる場合に前記斜行ローラを前記シート状記録媒体上に転接させる状態に復帰させる解離手段と、
を有することを特徴とする画像形成装置。
【発明の詳細な説明】
【技術分野】
【０００１】
この発明は、長尺帯状のシート状記録媒体を搬送しながら画像を形成する、画像形成装置に関する。
【背景技術】
【０００２】
近年、情報処理の多様化並びに大量化を図るという需要に対応すべく、電子写真方式の作像プロセスを採用し、記録媒体（転写媒体）として連続紙（連帳紙）を用いて高速処理を可能とした画像形成装置としてのプリンタ装置が使用されている。
【０００３】
このような高速化されたプリンタ装置には、記録媒体として、両縁部に送り方向に連続して等間隔に送り孔（以下ピン穴と呼ぶ）が穿孔された連続紙を用いるものがある。このようなプリンタ装置では、連続紙のピン穴に嵌合するピンを有するトラクタを設け、このトラクタを回転させることにより連続紙を搬送するようにしている。
【０００４】
このような連続紙では、連続紙の両縁の等間隔でピン穴が穿孔されている部分をプリンタ装置のトラクタで搬送するためだけに利用するので、この連続紙の両縁部分がプリント後に不要となるから、後処理工程で連続紙の不要となった両縁部分を切り落として処分することになる。そのため、連続紙の両縁部分が無駄となることを防止し、連続紙の両縁を切り落す加工費を節減するため、ピン穴を設けていない、いわゆるピンレス連続紙を記録媒体として搬送可能とした画像形成装置の需要が高まっている。
【０００５】
また高速化されたプリンタ装置では、プリント（印刷）開始時と停止時に、それぞれ用紙搬送のため駆動される搬送モータの特性上、一定速度に立ち上げたり、一定速度から停止させるためにある時間が必要である。このため、高速化されたプリンタ装置では、ある長さＡだけ連続紙を搬送する間に一定速度まで立ち上げ、停止時にはある長さＢだけ連続紙を搬送した時点で停止するという制御を行うのが普通である。
【０００６】
ここで、高速化されたプリンタ装置では、間欠プリント動作させる場合又はプリント停止後プリントを開始する場合に、連続紙の位置ずれで生じる長さＡ＋Ｂの無駄な白紙（余白）が発生することが無いように、停止時にＡ＋Ｂの長さ相当分だけ連続紙を逆方向へ搬送させて無駄な白紙が発生しにくいようにし連続的にプリント可能とすることが望まれている。
【０００７】
そこで従来提案されている、ピンレス連続紙を記録媒体として搬送可能とした画像形成装置では、給紙部から繰り出されるピン穴の無い連続紙を、ドライブローラ対で挟持した状態でドライブローラ対を回動することにより、弛みをとるためのテンション付与部の制動力に抗して摩擦搬送し、搬送路上に配置された用紙位置規制部に設けた用紙搬送方向と直交する軸に対し斜めに配置された斜行ローラを連続紙上に転接させることによって、制動力を与えることなく連続紙の一側縁をエッジガイドに摺接させて位置決めしてから、斜行ローラとドライブローラ対との間の搬送路上に配置されたプリント部へ搬入してプリントを行うようにしている。
【０００８】
さらに、この従来提案されている、ピンレス連続紙を記録媒体として搬送可能とした画像形成装置では、用紙位置規制部である斜行ローラとプリント部との間に、プリント停止時に、摩擦搬送用のドライブローラ対が逆回転して連続紙を逆方向へ搬送するバックフィード量に応じて、連続紙の紙面に接触して用紙の弛みを吸収するようにモータなどの駆動手段で駆動操作されるバッファローラが設けられている。
【０００９】
このバッファローラは、プリント部でプリント中に連続紙の紙面から離間されるよう駆動手段で駆動操作され、プリントの停止時及び開始時に駆動手段により駆動操作されて連続紙の紙面に接触し、これを押し出してプリント時の直線搬送路から離すようにして記録紙に弛みが生じないようにするバッファ手段を構成している（例えば、特許文献１参照。）。
【００１０】
このような従来提案されているピンレス連続紙を記録媒体として搬送可能とした画像形成装置では、プリントの停止時及び開始時に記録紙をバックフィードするため、斜行ローラとプリント部との間に記録紙のバッファ手段を設けるため機構が複雑になると共に、斜行ローラとプリント部との間にバッファ手段があるため、斜行ローラで記録紙をエッジガイドに摺接させて位置決めした記録紙の位置にバラツキを生じプリント精度（印字精度）が悪化するという問題がある。
【特許文献１】特開２００４−１５５５３３
【発明の開示】
【発明が解決しようとする課題】
【００１１】
本発明は、上述の問題に鑑み、ピン孔を穿孔していない連続した記録媒体を搬送路上でバックフィードするために利用するバッファ手段を設けることなく機構を簡素化し、ピン孔を穿孔していない連続した記録媒体にプリントを開始する際に、記録媒体を安定して位置決めされた状態で搬送して適切にプリントできるようにした画像形成装置を新たに提供することを目的とする。
【課題を解決するための手段】
【００１２】
請求項１に記載の画像形成装置は、長尺帯状のシート状記録媒体を搬送して画像形成部を通過させる際に画像を形成する、画像形成装置において、画像形成部より搬送方向上流側に配置され、シート状記録媒体の一方の端辺を摺接させることにより画像形成部に対する位置決めをさせるためのエッジガイドと、エッジガイドにシート状記録媒体の一方の端辺が摺接する状態を維持するよう、画像を形成するために搬送されているシート状記録媒体の表面上に搬送方向に対して所定の斜め状態に転接するよう装着された斜行ローラと、シート状記録媒体を画像形成のための搬送方向と逆方向に搬送させるため、斜行ローラより搬送方向上流側に配置されたバックフィードローラと、シート状記録媒体を画像形成のための搬送方向と逆方向に搬送させる場合は、搬送方向と逆方向に搬送されるシート状記録媒体の表面上を斜行ローラが転動した際に搬送されるシート状記録媒体の挙動を安定化できるように、斜行ローラの向きを回動し、シート状記録媒体を画像形成のための搬送方向に搬送させる場合は斜行ローラを所定の斜め状態に復帰させる方向転換手段と、を有することを特徴とする。
【００１３】
請求項２に記載の発明は、請求項１に記載の画像形成装置において、方向転換手段が、逆方向に搬送させる場合に斜行ローラの向く角度を、画像形成時の搬送方向を０度（画像形成時の方向を正とする）としたとき、０±５度となるよう回動することを特徴とする
前述のように構成することにより、開始された画像形成処理を一時停止させたときに余白ができることを防止するためにピン孔を穿孔していない連続した記録媒体を搬送路上でバックフィードする際、この記録媒体の表面に転接する斜行ローラの向く角度を方向転換手段で方向転換して記録媒体のバックフィード時の挙動を安定化させ、記録媒体にプリントを開始する際に記録媒体を安定して位置決めした状態で搬送を開始させて適切に画像形成できる。
【００１４】
請求項３に記載の発明は、請求項１又は請求項２に記載の画像形成装置において、方向転換手段が、シート状記録媒体の搬送方向を変える前に、斜行ローラの回動操作を行うことを特徴とする。
【００１５】
請求項４に記載の画像形成装置は、長尺帯状のシート状記録媒体を搬送して画像形成部を通過させる際に画像を形成する、画像形成装置において、画像形成部より搬送方向上流側に配置され、シート状記録媒体の一方の端辺を摺接させることにより画像形成部に対する位置決めをさせるためのエッジガイドと、エッジガイドにシート状記録媒体の一方の端辺が摺接する状態を維持するよう、画像を形成するために搬送されているシート状記録媒体の表面上に搬送方向に対して所定の斜め状態に転接するよう装着された斜行ローラと、シート状記録媒体を画像形成のための搬送方向と逆方向に搬送させるため、斜行ローラより搬送方向上流側に配置されたバックフィードローラと、シート状記録媒体を画像形成のための搬送方向と逆方向に搬送させる前に、斜行ローラをシート状記録媒体上から浮き上がらせて解離し、シート状記録媒体を画像形成のための搬送方向に搬送させる前に斜行ローラをシート状記録媒体上に転接させる状態に復帰させる解離手段と、を有することを特徴とする。
【００１６】
上述のように構成することにより、開始された画像形成処理を一時停止させたときに余白ができることを防止するためにピン孔を穿孔していない連続した記録媒体を搬送路上でバックフィードする際、解離手段によって斜行ローラをシート状記録媒体上から浮き上がらせて解離して記録媒体のバックフィード時の挙動を安定化させ、記録媒体にプリントを開始する際に解離手段によって斜行ローラをシート状記録媒体上に転接させる状態に復帰させてから搬送を開始し、適切に画像を形成できるようにする。
【発明の効果】
【００１７】
本発明の画像形成装置は、簡素な構成で、ピン孔を穿孔していない連続した記録媒体を搬送路上で安定してバックフィード可能とすると共に、このピン孔を穿孔していない連続した記録媒体にプリントを開始する際に、記録媒体を安定して位置決めされた状態で搬送して適切にプリントできるという効果がある。
【発明を実施するための最良の形態】
【００１８】
本発明の実施の形態に係わる画像形成装置について、図１乃至図６により説明する。この画像形成装置（プリンタ装置）は、図１の概略構成図に示すように、画像形成装置１０の本体下部に配置された供給部１４から引き出したピン孔を穿孔していない長尺帯状のシート状記録媒体である連続紙１２を、画像形成プロセス（作像プロセス）に従って搬送路上を搬送しながら順次、画像形成の処理を行うよう構成する。
【００１９】
この画像形成装置１０は、画像形成部１６でトナー像を転写処理し、フラッシュランプ方式（非接触定着式）の定着装置１８で転写媒体のトナー像を固定像に定着する処理をするよう構成する。
【００２０】
また、この画像形成装置１０では、図示しないモータで回転駆動されるドライブローラ２０が連続紙１２を挟持した状態で転動して連続紙１２を摩擦搬送することにより、供給部１４から引き出した連続紙１２を、位置合わせ部２２を通す際に幅方向の位置を位置合わせした後に、画像形成部１６を通し定着装置１８を通す搬送路上を搬送し、機外へ搬出させるように構成する。
【００２１】
この画像形成装置１０では、図２及び図３に示すように、位置合わせ部２２を、画像形成部１６より搬送方向上流側となる搬送路上の横向きのＵ字状に設定した部分に設ける。
【００２２】
この位置合わせ部２２は、横向きＵ字状の搬送路を設定するために配置されたガイド板２４の一方に設定する位置決め基準用の端部にエッジガイド２６を配置する。このエッジガイド２６は、平板で形成し、位置決め基準用の湾曲した端部からガイド板２４の表面に対し直角に所定高さ延出するフランジ状に構成する。
【００２３】
この位置合わせ部２２には、搬送している連続紙１２をエッジガイド２６に摺接させた状態を維持して位置決めするために、エッジガイド２６の搬送方向下流側でエッジガイド２６近くの所定位置にウレタン製のゴムローラで構成した斜行ローラ２８を配置し、この斜行ローラ２８より搬送方向上流側にバックフィードローラ３４を配置する。
【００２４】
このように配置構成することによって、この画像形成装置１０では、斜行ローラ２８又は位置合わせ部２２によって、搬送される連続紙１２がスキュー方向に位置決めされた状態で安定して画像形成部１６へ搬入されるようにできる。これは、斜行ローラ２８又は位置合わせ部２２と、画像形成部１６との間にバックフィードローラ３４が配置されると、連続紙１２にバックフィードローラ３４が転接してスキュー方向に連続紙１２を動かして誤差を生じさせてしまうことを防止できるためである。
【００２５】
このバックフィードローラ３４は、図２及び図４に示すように、複数の小ローラが所定間隔を開けて一連に配置構成されたローラ群として構成し、図３に示すように、これと同形の対向ローラ３６と対になって、連続紙１２を挟持する状態で、バックフィードローラ３４を回転駆動することにより、図４に示す画像形成のための搬送方向Ａと逆方向に、連続紙１２を搬送するよう構成する。
【００２６】
このため、ガイド板２４には、バックフィードローラ３４と対向ローラ３６とにおける、各々対を成す小ローラが位置することとなる部分に、それぞれ矩形開口３８（図３に図示）を穿設し、これら開口３８の内側に対向ローラ３６を配置し、バックフィードローラ３４と対向ローラ３６との間に連続紙１２を挟持した状態で転動可能なように構成する。
【００２７】
なお、バックフィードローラ３４と対向ローラ３６とは適当な力で常時圧接しており、搬送方向Ａに連続紙１２が搬送される場合は、用紙の移動とともにスリップもしくは従動することにより、連続紙１２に適度な張力が与えられる。また、連続紙１２をバックフィード（逆送り）する場合は、ドライブローラ２０の逆転速度よりもバックフィードローラ３４の回転速度が速いので、用紙に対してスリップしながら回転して適度な張力が与えられる。
【００２８】
また、位置合わせ部２２に配置される斜行ローラ２８は、搬送方向に搬送されている連続紙１２の表面に転接して連続紙１２の一方の端辺をガイド板２４の表面に常時摺接させるよう付勢力を作用させるように、斜行ローラ２８の回転軸がガイド板２４の表面と所定の挟角を成すように配置する。本実施の形態においては、３０度以下の挟角を成すように配置されるが、この挟角は連続紙１２の紙質に応じて適宜配置されるものであって、薄い連続紙１２を搬送する場合には１５度以下の挟角に配置される。
【００２９】
この斜行ローラ２８は、連続紙１２に対する摩擦抵抗を弱めるため、対向配置された挟持用ローラ３０と対を成すように構成する。このため、ガイド板２４には、斜行ローラ２８が配置される部分に矩形開口３２を穿設し、この開口３２内側に挟持用ローラ３０を配置し、斜行ローラ２８と挟持用ローラ３０との間に連続紙１２を挟持した状態で転動するように構成する。この挟持用ローラ３０は、外周面の移動軌跡が搬送方向に沿うよう、その回転軸を搬送方向と直交する方向に設定する。
【００３０】
この斜行ローラ２８は、図示しないが、斜行ローラ２８とガイド板２４表面との間に連続紙１２を挟む状態で連続紙１２に転接して、連続紙１２が画像形成部１６へ向かう正方向へ搬送される際に、連続紙１２における一方の端辺をエッジガイド２６の表面に常時摺接させるように構成する。
【００３１】
この斜行ローラ２８は、バックフィードローラ３４を駆動して連続紙１２を搬送方向と逆方向へバックフィードする際に、連続紙１２をガイド板２４から引き離すように付勢力を働かせて、バックフィードされる連続紙１２の挙動を不安定にさせることを防止するため、図４に実線で示す搬送方向に斜行する状態から、図４に想像線で示す搬送方向に沿う状態へと方向転換可能又は斜行ローラ２８が連続紙１２上から浮き上がって解離可能に構成する。
【００３２】
斜行ローラ２８の角度を斜行状態から搬送方向に沿う状態へと方向転換させるための方向転換手段は、図５に示すように構成することができる。すなわち、この方向転換手段では、斜行ローラ２８を回転自在に支持するフレーム４０から棒状の支竿部４２を一体的に延出し、この支竿部４２の端部を画像形成装置１０の図示しない固定フレームに軸着する。
【００３３】
さらに、支竿部４２を回転軸４４を中心として回転させる回転操作機構を設ける。
【００３４】
この回転操作機構では、プーリ状に形成した被動部材４６から突片状に延出させた操作アーム部４８に、棒状のリンク部材５０の一端部を軸着する。このリンク部材５０と支竿部４２とは、ラックピニオンギヤで係合している。
【００３５】
ステッピングモータ５２によって被動部材４６を所定角回転させると、リンク部材５０に接続された支竿部４２が回転し、支竿部４２と一体のフレーム４０に軸着された斜行ローラ２８が回転軸４４を中心にして所定角度回転する。
【００３６】
また、この回転操作機構を利用して斜行ローラ２８の方向を変更調整するための方向転換手段では、被動部材４６のプーリ部分４６Ａとステッピングモータ５２の出力軸に設けたプーリ５４との間に連動用のベルト５６を巻き掛けて、被動部材４６をステッピングモータ５２で所定回転角度だけ回動するよう駆動制御する。
【００３７】
この回転操作機構を利用した方向転換手段では、連続紙１２を搬送方向と逆方向へバックフィードする際に連続紙１２の挙動を安定化させられるように、斜行ローラ２８が向く角度を変更調整する。
【００３８】
連続紙１２をバックフィードする際に挙動を安定化させるためには、連続紙１２に転接する斜行ローラ２８が向く角度を、プリント時における連続紙１２の搬送方向（図に矢印Ａで示す方向）に対して所定の許容角度範囲内に入るように変更調整する必要がある。
【００３９】
この連続紙１２をバックフィードする際に変更調整される、バックフィードのため調整された斜行ローラ２８の方向の許容角度範囲は、実験によって求めることができる。
【００４０】
この実験では、画像形成装置のバックフィード時において、斜行ローラの角度を、下記の表の上部ように各種振ってその後のエッジガイドと用紙端の状態を観測して評価した結果を表１に示す。
【００４１】
【表１】
2006248732.tif 000003
この表１の評価は、以下の意味持つ。
○：用紙端がエッジガイドに接触した状態となる。その後の印刷は良好である。
△：用紙端とエッジガイドに微妙に隙間が見られる。その後の印刷時に復帰するが初期の印字精度が悪化した。
×：用紙端がエッジガイドから離れるもしくは座屈する。その後の印刷でも不良である。
【００４２】
上述した実験の結果より、バックフィード時の斜行ローラの角度は、プリント時（印刷時）の搬送方向（図に矢印Ａで示す方向）を角０度（プリント時の方向を正とする）とすると、バックフィードのため調整された斜行ローラ２８の方向の許容角度範囲は、角０±５度が適切であることが理解される。
【００４３】
また、バックフィードのため調整された斜行ローラ２８の方向の許容角度範囲を、斜行ローラ２８の回転軸を基準にすることにより具体的に規定する場合には、プリント時（印刷時）の斜行ローラ２８の回転軸が約１５度に設定されているため、角１５±５度が適切な許容角度範囲となる。なお、この許容角度はプリント時に設定される角度に応じて変わるものである。
【００４４】
次に、連続紙１２を搬送方向と逆方向へバックフィードする際の連続紙１２の挙動を安定化させるため、斜行ローラ２８を連続紙１２上から浮き上がらせて解離する構成について、図６により説明する。
【００４５】
この図６に示す斜行ローラ２８の解離手段は、アクチェータ６０に装着された伸縮ロッド５８の先端部に、斜行ローラ２８を軸着したフレーム部材６２を固定して構成する。
【００４６】
このように構成した解離手段は、図示しない制御装置の制御信号をアクチェータ６０に伝達して駆動制御することにより、連続紙１２をプリントするため搬送方向へ搬送するときに伸縮ロッド５８を延伸させて斜行ローラ２８が連続紙１２の表面に転接する状態とし、連続紙１２をバックフィードするときに伸縮ロッド５８を引き縮めて連続紙１２の表面から離脱する状態とする。
【００４７】
前述のように、連続紙１２をバックフィードする際に連続紙１２の挙動を安定化させるために方向転換し又は浮き上がって離脱するように構成された斜行ローラ２８を、位置合わせ部２２に設けた、画像形成装置１０は、図１に示すように、連続紙１２を位置合わせ部２２で幅方向の位置合わせをしてから、画像形成部１６における感光ドラム６６と、その表面に対峙して配置された転写部６４との間に搬入して画像を転写する。なお、この転写部６４は、連続紙１２をバックフィードする際に、感光ドラム６６から離間するように構成されている。
【００４８】
この画像形成部１６における転写部６４は、感光ドラム６６上のトナー像を連続紙１２上に転写するための転写帯電器として構成する。
【００４９】
この画像形成部１６の感光ドラム６６は、表面にドットイメージの静電潜像を形成するための光導電体（感光体）を表面に配したドラムに形成する。この感光ドラム６６は、図示しない駆動モータによって所定方向に一定速度で回転するよう装着されている。
【００５０】
この感光ドラム６６の周囲には、感光ドラム６６の表面を一様に帯電する帯電装置６７と、さらに感光ドラム６６の表面に光学像を照射して静電潜像を形成する露光用の露光装置６８と、感光ドラム６６の表面に形成された静電潜像に対応したトナー像（被転写材で形成された像）を形成するために被転写材であるトナーを供給する現像装置７０とを設ける。
【００５１】
さらに、感光ドラム６６の周囲には、感光ドラム６６上に残留するトナーを除去し清掃するためのクリーニング装置７２と、光を照射して感光ドラム６６上の帯電荷を除去する光除電装置７４とを設ける。
【００５２】
このように構成された画像形成部１６では、帯電装置６７により一様に帯電（例えばプラス帯電）された感光ドラム６６の表面に、露光装置６８によって光学像を照射すると、光があたった部分の電荷が抜けて静電潜像が形成される。次に、この画像形成部１６では、現像装置７０において、所定の現像電圧でバイアスされたマグネットロール（現像ロール）を回転してプラス帯電したトナーを感光ドラム６６に擦り付けると、このトナ−が静電潜像上に移動してトナー像が形成される。
【００５３】
この後、転写部６４を設けた転写部では、連続紙１２の裏面から、転写帯電器によりトナー像の帯電電位と逆極性（マイナス）の電位でコロナ放電を行うことにより、トナー像を連続紙１２に転写する。
【００５４】
また、画像形成部１６では、トナー像が連続紙１２に転写された後、感光ドラム６６を更に回転し、クリーニング装置７２で残留トナーを除去すると共に、光除電装置７４で除電して、次の静電潜像の形成に備える。
【００５５】
図１の概略構成図に示すプリンタ装置では、画像形成部１６でトナー像が形成された連続紙１２が搬送路上を搬送されて、フラッシュランプ方式の定着装置１８（フラッシュ定着装置）に搬入される。このフラッシュランプ方式の定着装置１８は、連続紙１２に転写されたトナー像上に複数のフラッシュランプで閃光を照射して定着させる。
【００５６】
このように画像が形成された連続紙１２は、ドライブローラ２０によって搬送されてプリンタ装置の機外へ搬出される。
【００５７】
次に、上述した画像形成装置１０で、連続紙１２に対するプリント処理を開始してから一旦プリント処理を停止し、プリント処理を再開する場合（間欠プリント動作させる場合等を含む）の動作について説明する。
【００５８】
この場合には、画像形成装置１０で連続紙１２に対するプリント処理を停止した際に、連続紙１２を駆動する搬送モータの特性上、一定の搬送速度から停止させるために必要な時間にある長さＢだけ連続紙１２が搬送されてオーバランする。
【００５９】
さらに、この画像形成装置１０では、プリント処理を再開する際に、連続紙１２を駆動する搬送モータの特性上、プリント処理をするときの一定の搬送速度に立ち上げるために必要な時間内に、連続紙１２が長さＡだけ空送りされる。
【００６０】
そこで、この画像形成装置１０では、一旦プリント処理を停止してからプリント処理を再開するまでの間に、停止時のオーバランで生じる長さＢと、プリント処理時の搬送速度まで立ち上げるために空送りで生じる長さＡとを加えた、連続紙１２の位置ずれで生じる長さＡ＋Ｂだけ、連続紙１２をバックフィードする。
【００６１】
そして、次にプリント処理を再開するときに、連続紙１２における次ページのプリント処理されていない先端からプリント処理が開始されるようにすることにより、連続紙１２の用紙ページ間において白紙部が発生しないようにできる。
【００６２】
なお、このバックフィード動作を開始する前に、画像形成装置１０では、制御部等で駆動制御することにより、バックフィードローラ３４が回転駆動される直前の連続紙１２の搬送が停止している間（一瞬）に、斜行ローラ２８の角度を可変する。この斜行ローラ２８の角度を可変するタイミングは、連続紙１２が停止していない時でもかまわないが、連続紙１２の種類（薄紙等）によっては斜行ローラ２８の接触部にしわが寄ってしまうこともあるので、連続紙１２が停止している時の方が、連続紙１２がエッジガイド２６に密着していて安定しているのでしわが寄ることもなく最適である。
【００６３】
このようにして斜行ローラ２８を所定回転角度だけ回動して、バックフィードする連続紙１２の表面上を斜行ローラ２８が転動しても連続紙１２が搬送される際の挙動に悪影響を与えることなく安定して搬送できるように設定する。
【００６４】
また、上述のように斜行ローラ２８の角度を可変する代わりに、斜行ローラ２８をバックフィード時に連続紙１２から離間するように退避（抵抗低減の手段）させても同様の効果がある。
【００６５】
次に、画像形成装置１０では、図示しない制御装置の制御によって、バックフィードローラ３４を所要回転数だけ回転駆動して連続紙１２を、位置ずれで生じる長さＡ＋Ｂの距離だけバックフィードする。
【００６６】
このとき、画像形成装置１０では、斜行ローラ２８の方向が所定の許容角度範囲内に入って連続紙１２のバックフィードされる方向に沿う状態となっているので、バックフィード動作中の連続紙１２に転接している斜行ローラ２８によって連続紙１２を幅方向に移動させる力が働くことはないから、この斜行ローラ２８に対してバックフィードローラ３４が接近して配置されていても、連続紙１２を安定して滑らかに、かつエッジガイド２６から外れることなくバックフィード動作させることができる。
【００６７】
次に、画像形成装置１０では、図示しない制御装置がステッピングモータ５２を駆動制御することにより、斜行ローラ２８を、連続紙１２をプリント処理するためにエッジガイド２６に摺接させて位置決めして搬送するための、当初の傾斜角度位置に復帰させる。
【００６８】
次に、画像形成装置１０では、図示しない制御装置がドライブローラ２０の図示しないモータを制御してドライブローラ２０を回転駆動し、連続紙１２の搬送を再開して、無駄な白紙（余白）が発生すること無く、プリント処理を行う。
【００６９】
このとき、バックフィード後の連続紙１２がエッジガイド２６から離れない状態で、かつ斜行ローラ２８が適切な当初の傾斜角度位置にある状態であるから、連続紙１２をプリント時における連続紙１２の搬送方向（図に矢印Ａで示す方向）に搬送する動作の開始時から、連続紙１２の搬送上の挙動を安定させて適切に位置決めされた状態の連続紙１２上へプリント処理することができる。
【００７０】
なお、本発明は前述した実施の形態に限定されるものではなく、本発明の要旨を逸脱しない範囲で、その他種々の構成を取り得ることは勿論である。
【図面の簡単な説明】
【００７１】
【図１】本発明の実施の形態に係わる、画像形成装置を示す概略構成図である。
【図２】本発明の実施の形態に係わる、画像形成装置における画像形成部へ連続紙を位置合わせして搬入するための位置合わせ部の部分を取り出して示す要部の概略斜視図である。
【図３】本発明の実施の形態に係わる、画像形成装置における画像形成部へ連続紙を位置合わせして搬入するための位置合わせ部の部分を取り出して示す要部の縦断面図である。
【図４】本発明の実施の形態に係わる、画像形成装置における画像形成部へ連続紙を位置合わせして搬入するための位置合わせ部の部分を取り出し平面に展開して示す要部の説明図である。
【図５】本発明の実施の形態に係わる、画像形成装置における画像形成部へ連続紙を位置合わせして搬入するための位置合わせ部に装着する斜行ローラの方向を変更調整するための方向転換手段の部分を取り出して示す要部の概略構成図である。
【図６】本発明の実施の形態に係わる、画像形成装置における画像形成部へ連続紙を位置合わせして搬入するための位置合わせ部に装着する、斜行ローラを連続紙から浮き上がって離脱するように構成したものを示す斜視図である。
【符号の説明】
【００７２】
１０  画像形成装置
１２  連続紙
１６  画像形成部
２０  ドライブローラ
２２  位置合わせ部
２４  ガイド板
２６  エッジガイド
２８  斜行ローラ
３０  挟持用ローラ
３４  バックフィードローラ
３６  対向ローラ
４０  フレーム
４２  支竿部
４４  軸ピン
４６  被動部材
４６Ａ      プーリ部分
４８  操作アーム部
５０  リンク部材
５２  ステッピングモータ
５４  プーリ
５６  ベルト
５８  伸縮ロッド
６０  アクチェータ
６２  フレーム部材
６４  転写部
６６  感光ドラム
【図１】
2006248732.tif 000004
【図２】
2006248732.tif 000005
【図３】
2006248732.tif 000006
【図４】
2006248732.tif 000007
【図５】
2006248732.tif 000008
【図６】
2006248732.tif 000009